(57)【要約】      （修正有）【課題】簡単な構造で低コストで製造でき、対象物に取り付けて自立支持させながら雨除けして両手を自由に使うことができるとともに、対象物への着脱操作も簡便に行える着脱自立傘を提供する。【解決手段】中棒１２の一端部側に中棒１２を中心として展開、格納自在に設けられた傘部１４と、中棒１２の他端側に設けられた柄部１６と、を含み、柄部１６は、中棒１２の他端側に接続され、対象物に磁力吸着面２８により磁力吸着しつつ傘部１４及び中棒１２を安定して自立支持する取付盤１８を有しており、さらに、対象物に対する中棒１２の自立角度を調整し任意の角度で中棒１２と取付盤１８とを連結固定する角度調整機構２０が設けられたことを特徴とする着脱自立傘１０から構成される。【選択図】図１
0003152085.tif 000002
【実用新案登録請求の範囲】
【請求項１】
中棒の一端部側に中棒を中心として展開、格納自在に設けられた傘部と、中棒の他端側に設けられた柄部と、を含み、
柄部は、中棒の他端側に接続され、対象物に磁力吸着面により磁力吸着しつつ傘部及び中棒を安定して自立支持する取付盤を有しており、
さらに、対象物に対する中棒の自立角度を調整し任意の角度で中棒と取付盤とを連結固定する角度調整機構が設けられたことを特徴とする着脱自立傘。
【請求項２】
角度調整機構は、中棒の他端側において中棒と取付盤とを一軸連結する固定機構付き枢支部を含むことを特徴とする請求項１記載の着脱自立傘。
【請求項３】
取付盤は小形の板体で形成され、さらに角度調整機構を介して中棒に対して直状に伸長する状態から任意の折曲角度を含み、鋭角を成して折曲される状態まで必要に応じて変位可能に接続されていることを特徴とする請求項１又は２記載の着脱自立傘。
【請求項４】
固定機構は、枢支部の枢支軸を構成し、かつ頭部側にハンドルが固定されたハンドル付きボルトと、
ハンドル付きボルトの先端側に螺合するナットと、を含み、
ハンドル付きボルトとナットとの締着により中棒と取付盤との角度を保持する請求項２又は３記載の着脱自立傘。
【請求項５】
傘部を中棒に格納閉着させた状態で傘部の骨の先端と枢支部との間に形成され中棒の他端から延長した握持杆が設けられていることを特徴とする請求項２ないし４のいずれかに記載の着脱自立傘。
【考案の詳細な説明】
【技術分野】
【０００１】
本考案は、対象物に着脱自在に取り付けて自立支持させながら雨除け、日除け等できる着脱自立傘に関する。
【背景技術】
【０００２】
降雨時に、自動車への荷物の乗せ降ろし、又は幼児の乗せ降ろしや幼児をチャイルドシートに着脱操作等する際など両手を使う必要がある場合には、傘が差せず、作業者自身及び幼児や荷物が雨に濡れてしまう問題があった。従来、自動車ドアにおける雨除け装置が提案されている。特許文献１には、自動車のドアと屋根に跨って取り付けられ、ドアの開閉に伴い扇形状に展開、折り畳みする傘部が配設された雨除け装置が開示されている。
【先行技術文献】
【特許文献】
【０００３】
【特許文献１】特開２０００−１０３２３８号公報
【考案の概要】
【考案が解決しようとする課題】
【０００４】
しかしながら、特許文献１の雨除け装置では、自動車の屋根とドアに跨って支持させるため屋根側とドア側の支持構造が比較的複雑となりコストが高くついていた。さらに、降雨に先立って予めドアに装着させておく必要があるため、雨が降らない際には乗り降りの邪魔になったり鬱陶しく感じるおそれがあった。また、雨除け装置を自動車へ装着させるには、両手を使って屋根とドアにそれぞれに支持させる作業が必要なため煩雑であった。また、特許文献１の雨除け装置では、自動車のドアを開けないと傘部が展開しないので、ドアの開け閉め操作の際に依然として雨濡れの問題があり不便であった。例えば、一方の片手で傘を持ち、もう一方の片手で幼児や荷物を抱えていて下に降ろせない場合には、スムーズなドアの開閉操作が困難であり、不意に傘が傾いたり、やむなく傘を地面に置いて開閉したりすることで自身や幼児又は荷物が雨に濡れてしまったり、抱えている幼児や荷物を落下させてしまう危険性があった。
【０００５】
本考案は、上記従来の課題に鑑みてなされたものであり、その一つの目的は、簡単な構造で低コストで製造でき、対象物に取り付けて自立支持させながら雨除けして両手を自由に使うことができるとともに、対象物への着脱操作も簡便に行える着脱自立傘を提供することにある。
【課題を解決するための手段】
【０００６】
上記課題を解決するために本考案は、中棒１２の一端部側に中棒１２を中心として展開、格納自在に設けられた傘部１４と、中棒１２の他端側に設けられた柄部１６と、を含み、柄部１６は、中棒１２の他端側に接続され、対象物に磁力吸着面２８により磁力吸着しつつ傘部１４及び中棒１２を安定して自立支持する取付盤１８を有しており、さらに、対象物（Ｍ）に対する中棒１２の自立角度θを調整し任意の角度で中棒１２と取付盤１８とを連結固定する角度調整機構２０が設けられたことを特徴とする着脱自立傘１０から構成される。中棒１２と傘部１４の傘本体側の構成は通常の差し傘等の構成を利用でき、柄部１６側に取付盤１８や角度調整機構２０の構成を付加して簡単に製造でき、大幅なコストアップをすることなく低コストで製造できる。中棒１２と傘部１４の構成は、傘部の開閉をワンタッチで行えるものや折り畳み傘のように伸縮できる構成でもよく、また、中棒の長さ、傘部の大きさ等は任意でもよい。
【０００７】
また、角度調整機構２０は、中棒１２の他端側において中棒１２と取付盤１８とを一軸連結する固定機構３８付き枢支部３６を含むこととしてもよい。
【０００８】
また、取付盤１８は小形の板体３０で形成され、さらに角度調整機構２０を介して中棒１２に対して直状に伸長する状態から任意の折曲角度を含み、鋭角を成して折曲される状態まで必要に応じて変位可能に接続されていることとしてもよい。
【０００９】
また、固定機構３８は、枢支部３６の枢支軸４２を構成し、かつ頭部側にハンドルが固定されたハンドル４６付きボルト４４と、ハンドル付きボルト４４の先端側に螺合するナット４６と、を含み、ハンドル付きボルト４４とナット４６との締着により中棒１２と取付盤１８との角度を保持することとしてもよい。
【００１０】
また、傘部１４を中棒１２に格納閉着させた状態で傘部１４の骨の先端と枢支部３６との間に形成され中棒１２の他端から延長した握持杆２６が設けられていることとしてもよい。
【考案の効果】
【００１１】
本考案の着脱自立傘によれば、中棒の一端部側に中棒を中心として展開、格納自在に設けられた傘部と、中棒の他端側に設けられた柄部と、を含み、柄部は、中棒の他端側に接続され、対象物に磁力吸着面により磁力吸着しつつ傘部及び中棒を安定して自立支持する取付盤を有しており、さらに、対象物に対する中棒の自立角度を調整し任意の角度で中棒と取付盤とを連結固定する角度調整機構が設けられたことから、取付盤を介して対象物に取り付け傘部と中棒を自立支持させることで雨除け又は日除けできる。したがって、例えば、降雨時に自動車への荷物や幼児の乗せ降ろし作業等の室外作業を行う際に自動車の屋根等の対象物に簡単に取り付けて雨濡れを防止しながら、両手を使って確実かつ安全に作業できる。さらに取付盤による対象物へ磁力吸着により取り付けられるので、着脱操作をワンタッチ状に簡単かつ短時間に行なえる。また、角度調整機構により種々の対象物に対して中棒を好適な自立角度に調整でき、使い勝手が良い。また、構造が簡単であり低コストで製造できる。
【００１２】
また、角度調整機構は、中棒の他端側において中棒と取付盤とを一軸連結する固定機構付き枢支部を含む構成とすることにより、簡単な構成で角度調整機構を具現できるとともに、中棒の自立角度の調整も簡便に行える。さらに、固定機構により枢支部において任意の角度を確実に保持し、不意に中棒の自立角度が変わるのを防止して、良好に使用できる。
【００１３】
また、取付盤は小形の板体で形成され、さらに角度調整機構を介して中棒に対して直状に伸長する状態から任意の折曲角度を含み、鋭角を成して折曲される状態まで必要に応じて変位可能に接続されている構成とすることにより、降雨時等に室外作業で対象物に取り付けて使用する際には対象物に対応して好適な中軸の自立角度を調整できるとともに、使用せずに室内等に保管する際には板体を中棒から直状に伸長する位置に変位させて鉄製の玄関ドアや壁等に取付盤を介して取付けてコンパクトに収納することができる。さらに、取付盤が板体で形成されるので、対象物に対して安定して取り付けられるとともに、着脱自立傘を持ち運ぶ際や対象物に装着した状態でも邪魔になりにくい。
【００１４】
また、固定機構は、枢支部の枢支軸を構成し、かつ頭部側にハンドルが固定されたハンドル付きボルトと、ハンドル付きボルトの先端側に螺合するナットと、を含み、ハンドル付きボルトとナットとの締着により中棒と取付盤との角度を保持する構成とすることにより、枢支部においてハンドル付きボルトとナットとを緩めて中棒の自立角度を自在に変更調整できるとともに、任意の角度でボルトとナットをきつく締め付けて固定して該中棒の自立角度を保持でき、簡単な構成で固定機構を具現できる。特に、ハンドルを介してボルトを手で回転操作できるので、工具を不要とし利便性がよい。
【００１５】
また、傘部を中棒に格納閉着させた状態で傘部の骨の先端と枢支部との間に形成され中棒の他端から延長した握持杆が設けられている構成とすることにより、握持杆を手で安定して握って、持ち運びや傘部の展開、格納操作等を行え、手持ち差し傘としても使用できるとともに、握持杆の先端側に枢支部を介して取付盤が接続されるので握持杆を持ったまま対象物等への着脱操作を簡単に行なうことができるうえ、取付盤と開閉する傘部とが干渉せず、使い勝手がよい。
【図面の簡単な説明】
【００１６】
【図１】本考案の実施形態に係る着脱自立傘の正面図である。
【図２】図１の着脱自立傘の柄部周辺の拡大図である。
【図３】図２の側面図である。
【図４】図１の着脱自立傘の側面図である。
【図５】図２のＡ−Ａ線断面図である。
【図６】図１の着脱自立傘を自動車の屋根に取り付けた状態の説明図である。
【図７】図１の着脱自立傘を自動車の屋根に取り付けた状態の説明図である。
【図８】図１の着脱自立傘を鉄製の玄関ドアに取り付けた状態の説明図である。
【考案を実施するための形態】
【００１７】
以下、添付図面を参照しつつ本考案の着脱自立傘の実施の形態について説明する。本考案の着脱自立傘は、例えば、自動車の車体や鉄製の玄関ドアや鉄製の壁、構造物等その他任意の磁力吸着素材の対象物に磁力吸着させて自立支持させ、両手を自由に使える状態で雨除けしながら作業等を行えるものである。図１ないし図８は、本考案に係る着脱自立傘の一実施形態を示している。図１、図２に示すように、本実施形態において、着脱自立傘１０は、中軸１２の一端側に設けられた傘部１４と、中軸１２の他端側に設けられた柄部１６と、を含み、柄部１６は対象物へ取り付けられる取付盤１８を有しており、さらに、対象物に対する中棒１２の角度調整機構２０が設けられている。本実施形態では、着脱自立傘１０を取り付ける対象物としては自動車Ｍの例で説明する。
【００１８】
図１に示すように、例えば、柄部の一部を除く傘本体部分は通常の差し傘と略同様の構成であり、全体を支える中棒１２の一端側に、中棒１２を中心として放射状に取り付けられた傘骨２２に全体を覆うように傘地２４が張設されて傘部１４が構成され、該傘部１４は中棒１２に対して展開、格納自在に設けられている。中棒１２の先端側には石突２５が設けられている。中棒１２の他端側の柄部１６には、手で握るための手元（ハンドル）として握持杆２６が形成されている。図８にも示すように、中軸１２と傘骨２２との長さは略同じ長さで設けられており、握持杆２６は、傘部１４を中棒１２に格納閉着させた状態で傘骨２２の先端よりも他端側に向けて延長して形成され、傘部の格納閉着状態でも該握持杆２６を手で握ることができる。握持杆２６は、例えば、細身の中棒１２よりも大きな径の直杆からなる。なお、中棒１２と握持杆２６を一本の直杆で形成してもよい。すなわち、ある程度長い中棒の他端側の一部を握持部としてもよい。
【００１９】
図２、図３、図４に示すように、握持杆２６の延長先端側には、取付盤１８が角度調整機構２０を介して接続されている。取付盤１８は、基体と基体に設けられた磁力吸着面２８とを一体的に有しており、対象物（Ｍ）に磁力吸着面２８により磁力吸着しつつ傘部１４及び中棒１２を安定して自立支持する磁力吸着式の着脱手段兼傘部と中棒の自立支持手段である。取付盤１８は、傘部１４及び中棒１２と比較して比較的小形の平板体３０を基体としている。図４において、平板体３０は、例えば、平面視で横長の略八角形状で表裏面ともに平面に形成されており、一方（裏面）側の平面側に薄板状に伸ばされたゴム磁石３０を固定して磁力吸着面２８を形成している。平板体３０の磁力吸着面２８とは他方側の平面上で、長手方向の一端側図４上の右端側には、略Ｕ字状に平板体３０から垂直に立ち上がった１対の軸支片３４が設けられている。軸支片３４は後述の枢支部３６を構成しており、該枢支部の枢支軸が貫通される貫通孔が形成されている。なお、平板体３０は、例えば、円形、矩形状、五角形以上の多角形状その他任意の形状でもよい。また、平板体の中央位置で中棒と枢支連結しても良い。また、取付盤は例えば、ブロック体や枠体に磁力吸着面を形成して構成されていてもよい。
【００２０】
角度調整機構２０は、対象物（Ｍ）に対する中棒１２の自立角度θを調整し任意の角度で中棒１２と取付盤１８とを連結固定する角度調整保持手段及び中棒１２と取付盤１８との連結固定手段である。図２、図３、図４に示すように、本実施形態では、角度調整機構２０は、中棒１２の他端側において握持杆２６と平板体３０とを一軸連結する固定機構３８付き枢支部３６を含む。角度調整機構２０は、枢支部３６を介して中棒１２と平板体３０との接続角度を変更することにより、対象物（Ｍ）に対する中棒１２の自立角度θを調整するようになっている。なお、本実施形態では、中棒１２は握持杆２６を介して平板体３０と枢支連結されているが、中棒１２と平板体３０とを直接枢支連結した構成でもよい。枢支部３６は、例えば、上述の平板体３０に設けられた軸支片３４と、握持杆２６の延長先端に設けられた２個１対の延長板片４０と、延長板片４０と軸支片３４とを貫通して枢支する枢支軸４２と、で構成されている。延長板片４０は、例えば、握持杆を挟持するように互いに平行に対向しながら該握持杆の他端側からさらに延長して突設されるとともに、枢支軸が貫通される貫通孔が設けられている。延長板片４０の対向間隙内に平板体３０の１対の軸支片３４が挿嵌され、互いの貫通孔を位置合わせして枢支軸４２により枢支連結されている。枢支軸４２は、その軸線方向が中軸１２の長手方向に対して垂直方向で、かつ平板体３０の磁力吸着面２８と平行に配置されている。図５に示すように、角度調整機構２０を介して平板体３０は、中棒１２に対して軸周り方向Ｒに向けて自在に回転変位できる。具体的には平板体３０は中棒１２に対して直状に伸長する状態３０ａ（図５上、二点鎖線）から任意の折曲角度を含み、鋭角を成して折曲される状態３０ｂ（図５上、実線）まで必要に応じて変位可能に接続されている。言い換えると、中棒１２と平板体３０の磁力吸着面２８とが図５の二点鎖線のように平行に配置される位置から、同図の一点鎖線のように直角状に交差位置、さらには同図の実線のように鋭角状に交差する位置まで自由に変位できる。さらに、平板体３０は、握持杆２６側に対して約０度の角度位置まで変位されて収束される。すなわち、枢支軸４２周りに中軸１２と平板体３０とが自在に回動して、中軸１２と平板体３０（の磁力吸着面２８）との間の角度を０度から１８０度まで自由に変更でき、任意の角度で固定機構３８により保持される。例えば、図７に示すように、着脱自立傘１０を自動車Ｍの屋根に取り付けて荷物や子供の乗せ降ろしを行う際には、できる限りドア寄り位置に取り付けた方が雨に濡れにくいが、自動車の屋根のドア寄り側はなだらかに傾斜している。この自動車の屋根の傾斜角度は車種等により異なるが、角度調整機構２０により中棒１２を好適な自立角度に調整することができる。さらに、平板体３０の端部側で握持杆と接続しているので、中棒の位置を屋根のドア寄り位置に設定しやすく、着脱操作も屋根の手前側で行える。また、自動車の屋根に限らず、その他鉄製の構造物等の対象物に取り付ける際にも、対象物の角度に対応して中棒１２の自立角度θを調整でき、種々の外作業やレジャー等にも利用できる。さらに、平板体３０を中棒１２に対して伸長状に伸ばした状態とすることで、図８に示すように、例えば、不使用時に、傘部１４を中棒に格納閉着させた状態で、鉄製の玄関ドアＤＲや壁等の平面に取付盤１８を介して取り付けてコンパクトに収納できる。
【００２１】
本実施形態では、枢支軸４２は、外周に雄ネジが形成されたボルト４４で構成されており、該ボルト４４の先端に螺合される蝶ナット４６と協働して固定機構３８を構成する。ボルト４４の頭部には手操作用のハンドル４８が固定されている。すなわち、固定機構３８は、枢支軸４２を構成するハンドル４８付きボルト４４と、ハンドル付きボルトの先端側に螺合する蝶ナット４６と、を含む。枢支部３６において、これらのハンドル付きボルト４４と蝶ナット４６とを緩めると中棒１２と平板体３０とを自在に変更させて中軸の自立角度を調整することができる。そして、任意の角度でボルトと蝶ナットをきつく締め付けると中軸側の延長板片４０と平板体の軸支片３４とが挟み付けられ定着固定されて該角度を保持する。なお、手で力を加えない状態では任意の角度を保持でき、手で強い力を加えた際にのみ枢支軸周りに回動可能なようにある程度きつく締め付けておくようにしてもよい。ボルト４４にハンドル４８を固定しているとともに蝶ナット４６を利用しているので、スパナやドライバ等の工具を用いることなく、手で簡単にボルトナットの締め付け及び緩み操作を行うことができる。なお、ボルトに螺合させるのは蝶ナットでなく、通常のナットでもよい。この際、例えば、ナットがボルトと共回りしないように延長板片４０に溶接等の固定手段により固定しておいてもよい。なお、本実施形態では、角度調整機構２０は、中棒と取付盤とを一軸連結構成としたが、それに限らず、例えば、中軸と取付盤とをユニバーサルジョイントで連結した構成や、２軸連結又は複数軸連結した構成としてもよい。ユニバーサルジョイント等を用いた構成では、構造が複雑化するが、取付盤を取り付けた対象物に対する中棒の角度調整の自由度は高くなる。
【００２２】
本実施形態に係る着脱自立傘１０を使用する際には、降雨時には、中棒１２の他端側の握持杆２６を手で握って傘部１４を展開し、差し傘として使用することができる。図６、図７に示すように、例えば、自動車内に車外から荷物又は幼児等を乗せる場合には、まず自動車等のドアを外側から開ける際には、取付盤１８を介して自動車Ｍの屋根のドア寄り位置に取り付けて、傘部１４及び中軸１２を自立支持させる。この取付け操作は取付盤の磁力吸着面を自動車の屋根に吸着させるだけなので簡単に取り付けることができる。この際、必要に応じて角度調整機構２０を介して自動車Ｍの屋根の傾斜角度等に応じて中棒の自立角度θを調整設定できるとともに、固定機構により該角度で保持固定される。着脱自立傘１０を自動車に自立支持させることで雨除けすることができながらも手は自由になるので、ドアを簡単に開けることができる。さらに、自動車に荷物又は幼児を乗せる作業の際も両手を作業に使えるので作業を確実に、スムーズに、かつ安全に作業を行うことができる。荷物や幼児を乗せ終えたらドアを閉めて、着脱自立傘を自動車の屋根から取り外す。取り外した着脱自立傘は、差し傘として使用できるとともに、傘部を格納閉着して車内等に収容できる。また、自動車から荷物や幼児を降ろす場合も略同様の操作で雨除けしながら行える。さらに、図８に示すように、着脱自立傘１０の不使用時には、取付盤１８を中棒１２に対して直状に伸長させた状態に変位させ、取付盤１８を介して家屋やマンション等の鉄製の玄関ドアＤＲや鉄製の壁面等に磁力吸着させてコンパクトに収納することができる。
【００２３】
以上説明した本考案の着脱自立傘は、上記した実施形態のみの構成に限定されるものではなく、実用新案登録請求の範囲に記載した本考案の本質を逸脱しない範囲において、任意の改変を行ってもよい。
【産業上の利用可能性】
【００２４】
本考案の着脱自立傘は、例えば、自動車や鉄製のドア、壁面、構造物等に取り付けて自立支持させて雨除け、日除けとして利用できる。
【符号の説明】
【００２５】
１０    着脱自立傘
１２    中棒
１４    傘部
１６    柄部
１８    取付盤
２０    角度調整機構
２６    握持杆
２８    磁力吸着面
３０    平板体
３６    枢支部
３８    固定機構
４２    枢支軸
４４    ボルト
４６    蝶ナット
４８    ハンドル
【図１】
0003152085.tif 000003
【図２】
0003152085.tif 000004
【図３】
0003152085.tif 000005
【図４】
0003152085.tif 000006
【図５】
0003152085.tif 000007
【図６】
0003152085.tif 000008
【図７】
0003152085.tif 000009
【図８】
0003152085.tif 000010